(57)【要約】【課題】ヘッドユニットの肌面に対する追随変位をより適確にしかも多様に行える電気かみそりを提供する。【解決手段】モーター２０およびメイン刃２１を含むヘッドユニット２が、本体ケース１とヘッドユニット２との間に設けた浮動支持構造で浮動支持されている。その浮動支持構造は、本体ケース１側に設けられる下浮動構造と、ヘッドユニット２側に設けられる上浮動構造とで構成する。下浮動構造は第１付勢ばね５８を含み、上浮動構造を左右、上下方向へ浮動可能に支持できるよう構成する。上浮動構造は、第２付勢ばね８１を含み、ヘッドユニット２を少なくとも左右方向へ傾動支持できるように構成する。【選択図】図１
2005237598.tif 000002
【特許請求の範囲】
【請求項１】
モーター（２０）およびメイン刃（２１）を含むヘッドユニット（２）が、本体ケース（１）とヘッドユニット（２）との間に設けた浮動支持構造で浮動支持されている電気かみそりであって、
浮動支持構造が、第１付勢ばね（５８）を含んで本体ケース（１）側に設けられる下浮動構造と、第２付勢ばね（８１）を含んでヘッドユニット（２）側に設けられる上浮動構造とを有し、
下浮動構造が、上浮動構造を前後、左右、上下の各方向のうち、少なくとも左右、上下方向へ浮動可能に支持できるよう構成されており、
上浮動構造が、ヘッドユニット（２）を少なくとも左右方向へ傾動支持できるように構成されている電気かみそり。
【請求項２】
上浮動構造と下浮動構造とを含むヘッドユニット（２）の重心位置（Ｇ１）が、下浮動構造の傾動中心（Ｐ１）より上方に位置しており、
上浮動構造を含むヘッドユニット（２）の重心位置（Ｇ２）が、上浮動構造の傾動中心（Ｐ２）より上方に位置している請求項１記載の電気かみそり。
【請求項３】
上浮動構造と下浮動構造とを含むヘッドユニットの重心位置（Ｇ１）が、下浮動構造の傾動中心（Ｐ１）より上方に位置しており、
上浮動構造を含むヘッドユニット（２）の重心位置（Ｇ２）が、上浮動構造の傾動中心（Ｐ２）の位置を基準にして、同等位置かそれより下方に位置している請求項１記載の電気かみそり。
【請求項４】
下浮動構造が、本体ケース（１）に前後、左右、上下、斜めの全方位方向へ浮動可能に支持される下浮動台（５７）と、下浮動台（５７）を押し上げ付勢する第１付勢ばね（５８）とを含んでいる請求項１記載の電気かみそり。
【請求項５】
下浮動台（５７）を押し上げ付勢する第１付勢ばね（５８）の弾性力が、ヘッドユニット（２）を中立位置へ向かって復帰付勢する第２付勢ばね（８１）の弾性力より大きく設定されている請求項１記載の電気かみそり。
【発明の詳細な説明】
【技術分野】
【０００１】
本発明は、ヘッドユニットが本体ケースに対して浮動可能に支持されている電気かみそりに関する。
【背景技術】
【０００２】
この種の電気かみそりにおいて、ヘッドユニットを本体ケースで浮動可能に支持することは特許文献１に公知である。そこでは、ヘッドユニットの下部に左右一対の逆門形のフロート枠を連結し、各フロート枠を本体ケースに設けた上下方向のガイド溝で案内し、各フロート枠を前後一対のフロートばねで押し上げ付勢することにより、ヘッドユニットを浮動支持している。特許文献２においては、モーターを含むヘッドユニットを前後、左右、上下、および斜め方向へ浮動可能に支持したうえで、切断ヘッドを前後揺動可能に支持する電気かみそりが公知である。
【０００３】
【特許文献１】特開２００３−２１０８７２号公報（段落番号１６、図６）
【特許文献２】特開２００２−３０６８６４号公報（段落番号２７、３０、図５）
【発明の開示】
【発明が解決しようとする課題】
【０００４】
特許文献１の浮動支持構造によれば、ヘッドユニットを左右、上下方向へ浮動可能に支持して、ひげ切断面を肌面の変化に対応して追随傾動させることができる。しかし、逆門形のフロート枠とヘッドユニットとを４個の連結ピンで連結するので、傾動時におけるヘッドユニットの姿勢が、４個の連結ピンの中心軸線が平行になる傾動姿勢のみに限られる。例えば、任意の上下位置において、左右のフロート枠の沈込み量は異なっていてもよいが、左右のフロート枠の前後傾動角度が異なる姿勢には傾動できない。連結ピンとフロート枠の連結穴とが干渉するからである。
【０００５】
その点、特許文献２の浮動支持構造においては、浮動状態におけるヘッドユニットが左右一対のばねと、防水用のケースパッキンのみで支えられた不安定な状態になるので、ヘッドユニットを前後、左右、上下と、斜めの全方位方向へ浮動可能に支持できるうえ、ヘッドユニットを前後に首振り変位させて、ひげ切断面の姿勢の自由度を増すことができる。しかし、姿勢の自由度が増すほどヘッドユニットがふらつきやすく、ひげ切断を適切に行えないことがある。ばねの弾性力を大きくすることで、ひげ切断面の姿勢変化を制限することはできるが、そうすると肌面に対する追随性が損なわれる。
【０００６】
本発明の目的は、複数段の浮動支持構造を備えていて、ひげ切断面の肌面に対する追随変位をより適確にしかも多様に行える電気かみそりを提供することにある。本発明の目的は、ヘッドユニットの肌面に対する追随姿勢の自由度を向上しながら、ヘッドユニットがふらつくのを防止し、常に適確にひげ切断を行える電気かみそりを提供することにある。
【課題を解決するための手段】
【０００７】
本発明の電気かみそりは、モーター２０およびメイン刃２１を含むヘッドユニット２が、本体ケース１とヘッドユニット２との間に設けた浮動支持構造で浮動支持されている。その浮動支持構造は、第１付勢ばね５８を含んで本体ケース１側に設けられる下浮動構造と、第２付勢ばね８１を含んでヘッドユニット２側に設けられる上浮動構造とを有する。下浮動構造は、上浮動構造を前後、左右、上下の各方向のうち、少なくとも左右、上下方向へ浮動可能に支持できるよう構成されている。上浮動構造は、ヘッドユニット２を少なくとも左右方向へ傾動支持できるように構成されている（請求項１）。
【０００８】
上浮動構造と下浮動構造とを含むヘッドユニット２の重心位置Ｇ１は、下浮動構造の傾動中心Ｐ１より上方に位置しており、上浮動構造を含むヘッドユニット２の重心位置Ｇ２は、上浮動構造の傾動中心Ｐ２より上方に位置している（請求項２）。
【０００９】
上浮動構造と下浮動構造とを含むヘッドユニットの重心位置Ｇ１は、下浮動構造の傾動中心Ｐ１より上方に位置しており、上浮動構造を含むヘッドユニット２の重心位置Ｇ２は、上浮動構造の傾動中心Ｐ２の位置を基準にして、同等位置かそれより下方に位置している（請求項３）。
【００１０】
下浮動構造は、本体ケース１に前後、左右、上下、斜めの全方位方向へ浮動可能に支持される下浮動台５７と、下浮動台５７を押し上げ付勢する第１付勢ばね５８とを含んでいる（請求項４）。
【００１１】
下浮動台５７を押し上げ付勢する第１付勢ばね５８の弾性力は、ヘッドユニット２を中立位置へ向かって復帰付勢する第２付勢ばね８１の弾性力より大きく設定することができる（請求項５）。
【発明の効果】
【００１２】
本発明の浮動支持構造は、第１付勢ばね５８を含んで本体ケース１側に設けられる下浮動構造と、第２付勢ばね８１を含んでヘッドユニット２側に設けられる上浮動構造とで構成した。上下の浮動構造のうち、下浮動構造は、上浮動構造を少なくとも左右、上下方向へ浮動可能に支持できるよう構成し、上浮動構造は、ヘッドユニット２を少なくとも左右方向へ傾動支持できるように構成するようにした。このように下浮動構造と上浮動構造とで構成した浮動支持構造によってヘッドユニット２を浮動支持すると、下浮動構造によって発揮される浮動動作と、上浮動構造によって発揮される左右傾動動作とを、個別にあるいは同時複合的に発揮させることが可能となるので、ヘッドユニット２の傾動姿勢の変化幅を拡大して変位形態を多様化でき、したがって、ひげ切断面の肌面に対する追随変位をより適確に行うことができる（請求項１）。
【００１３】
上浮動構造と下浮動構造とを含むヘッドユニット２の重心位置Ｇ１が、下浮動構造の傾動中心Ｐ１より上方に位置し、さらに上浮動構造を含むヘッドユニット２の重心位置Ｇ２が、上浮動構造の傾動中心Ｐ２より上方に位置する電気かみそりによれば、ヘッドユニット２などの傾動モーメントを利用してひげ切断面を肌面に密着できる。
【００１４】
詳しくは、ヘッドユニット２が上浮動構造の傾動中心Ｐ２まわりに左右傾動するとき、ヘッドユニット２が中立位置から僅かでも傾動すると、傾動を促進する向きの傾動モーメントがヘッドユニット２に作用するので、ひげ切断面を肌面に密着させて、肌面の変化に容易に追随させることができる。同様に、上浮動構造を含むヘッドユニット２が下浮動構造の傾動中心Ｐ１まわりに左右傾動するとき、ヘッドユニット２が中立位置から僅かでも左右傾動すると、ヘッドユニット２に傾動を促進する向きの傾動モーメントが作用するので、ひげ切断面を肌面に密着し、肌面の変化に容易に追随させることができる（請求項２）。
【００１５】
上浮動構造と下浮動構造とを含むヘッドユニットの重心位置Ｇ１が、下浮動構造の傾動中心Ｐ１より上方に位置し、さらに上浮動構造を含むヘッドユニット２の重心位置Ｇ２が、上浮動構造の傾動中心Ｐ２の位置を基準にして同等位置かそれより下方に位置する電気かみそりによれば、ヘッドユニット２などの傾動モーメントを利用してひげ切断面を肌面に密着できるうえ、第２付勢ばね８１に作用する負荷を軽減できる。
【００１６】
詳しくは、ヘッドユニット２が下浮動構造の傾動中心Ｐ１まわりに傾動するときは、請求項２の電気かみそりと同様に、ヘッドユニット２が中立位置から僅かでも傾動すると、傾動を促進する向きの傾動モーメントがヘッドユニット２に作用するので、ひげ切断面を肌面に密着させて、肌面の変化に容易に追随させることができる。
【００１７】
さらに、ヘッドユニット２が上浮動構造の傾動中心Ｐ２まわりに傾動するとき、ヘッドユニット２が中立位置から一定量傾動すると、傾動を阻む向きの傾動モーメントがヘッドユニット２に作用する。ヘッドユニット２に作用する傾動モーメントは、第２付勢ばね８１と協同してヘッドユニット２を中立位置へ戻す向きに作用するので、第２付勢ばね８１に作用する負荷を軽減して、該ばね８１の弾性劣化を防止できる。また、上下の浮動構造が同じ方向へ最大限傾いた状態においては、ヘッドユニット２を中立位置へ戻す向きの傾動モーメントが最大となるので、第２付勢ばね８１のみでヘッドユニット２を浮動支持する場合に比べて、ヘッドユニット２のふらつきを抑止できる（請求項３）。
【００１８】
下浮動構造は下浮動台５７と第１付勢ばね５８などで構成し、下浮動台５７を本体ケース１で前後、左右、上下、斜めの全方位方向へ浮動可能に支持すると、上浮動構造によって発揮される左右傾動動作に加えて、ヘッドユニット２を前後、左右、上下、斜めの全方位方向へ傾動させることができるので、ヘッドユニット２の傾動姿勢をさらに多様化して、ひげ切断面の肌面に対する追随変位をさらに適確に行うことができる（請求項４）。
【００１９】
下浮動台５７を押し上げ付勢する第１付勢ばね５８の弾性力が、モーターケース５４を押し上げ付勢する第２付勢ばね８１の弾性力より大きく設定された浮動支持構造によれば、使用状態において、まずヘッドユニット２が傾動したのち、引き続き下浮動台５７を傾動ないし沈み込ませることができるので、下浮動台５７がいたずらに傾動変位するのを防止できえる。したがって、ヘッドユニット２の肌面に対する追随姿勢の自由度を向上しながら、ヘッドユニット２がふらつくのを防止でき、全体として常に適確にひげ切断を行える電気かみそりが得られる（請求項５）。
【発明を実施するための最良の形態】
【００２０】
図１ないし図９は本発明をロータリー式の電気かみそりに適用した実施例を示す。図２および図３において電気かみそりは、本体ケース１と、その上部に設けられるヘッドユニット２と、本体ケース１に収容される電装品ユニット３とを含む。本体ケース１の前面には、モーター起動用のスイッチボタン４や、モーターの運転状態を切り換えるセレクトボタン５と、各種の表示体とを設けてある。図３において本体ケース１の背面側には、きわぞり刃８と、きわぞり刃８を使用姿勢へ押し上げ操作するスライドノブ９とを設けてある。ヘッドユニット２は、本体ケース１に対してケース前面側へ傾斜している。
【００２１】
図４において電装品ユニット３は、内フレーム１１と、その前面および後面に配置される回路基板１２および左右一対の２次電池（電池）１３と、回路基板１２に実装されるスイッチ、および複数個の表示用ＬＥＤなどで構成してある。本体ケース１は、上面のみが開口する有底筒状の筒ケースからなり、その内部に電装品ユニット３が装填され、ケース底壁に挿通したビス１４を電装品ユニット３の下端のねじボスにねじ込むことにより、電装品ユニット３を本体ケース１と一体化できる。ビス１４および底壁に露出する充電用のプラグピン１５は、それぞれシールリングで水密状に封止してある。
【００２２】
図５においてヘッドユニット２は、横置き配置したモーター２０と、モーター動力を前後一対のメイン刃２１に伝える第１伝動系と、モーター動力をメイン刃２１の間に配置したセンター刃２２、およびきわぞり刃８に伝動する第２伝動系と、モーター２０および両伝動系の構成部品を収容するケース群などで構成されている。図５においては、メイン刃２１とセンター刃２２とが前後に重なるのを避けて、第１伝動系の構造を明確化するためにメイン刃２１を上方へずらして表現した。
【００２３】
第１伝動系は、前段減速機構と、これとメイン刃２１との間に配置される巻掛伝動機構などで構成する。前段減速機構は、太陽歯車２５と、遊星歯車２６と、遊星フレーム２７と、内歯歯車２８、および減速ケース２９を構成要素とする遊星歯車機構とからなり、減速された動力を遊星フレーム２７に固定した減速軸３０で出力する。巻掛伝動機構は、減速軸３０に固定した原動プーリー３２と、従動プーリー３３と、両プーリー３２・３３間に巻き掛けたタイミングベルト３４とを含む。従動プーリー３３は終段軸３５に固定してある。終段軸３５の反対側の軸端には終段ギヤ３６を固定してある。終段ギヤ３６で、メイン刃２１の内刃２１ａに固定した内刃ギヤ３７を駆動する。
【００２４】
メイン刃２１は、前後一対の内刃２１ａと、外刃ホルダー６に装着される外刃２１ｂとで構成した仕上げ用の切断刃であり、主として短毛を切断する。同様に、センター刃２２は、往復駆動される可動内刃２２ａと、固定支持される固定外刃２２ｂとで構成してあり、長毛やくせ毛を荒剃り切断する。内刃２１ａはロータリー刃で形成し、外刃２１ｂは網刃で形成し、可動内刃２２ａおよび固定外刃２２ｂは断面逆Ｕ字状のスリット刃で形成してある。
【００２５】
第２伝動系は、巻掛伝動機構の中途部から分岐されて、回転動力をモーター２０の上方へ伝動する。詳しくは、分岐軸４０の一端に固定されてタイミングベルト３４と噛み合う分岐プーリー４１と、分岐軸４０の他端に固定したフェースギヤ４２と、フェースギヤ４２に噛み合う中間ギヤ４３と、中間ギヤ４３に噛み合うカムギヤ４４と、カムギヤ４４に一体形成された偏心カム４５と、偏心カム４５で左右方向に往復駆動される振動子４６とで第２伝動系を構成し、振動子４６の上面に設けた駆動軸４７でセンター刃２２の内刃２２ａを駆動する。振動子４６の往復動作は、図示していない揺動レバーできわぞり刃８に伝動される。
【００２６】
図５において、符号５４はモーター２０を収容するモーターケースである。モーターケース５４はアルミニウムを素材とするダイキャスト成形品からなる。モーターケース５４の上部に組み付けられるケース内に、第２伝動系の構成部品が収容されている。
【００２７】
上記構成のヘッドユニット２を前後、左右、上下、斜めの全方位方向へ傾動可能に浮動支持するために、電装品ユニット３の内フレーム１１とヘッドユニット２との間に浮動支持構造が設けられている。浮動支持構造は、本体ケース１側に設けられる下浮動構造と、ヘッドユニット２側に設けられて下浮動構造で支持される上浮動構造とで構成する。
【００２８】
図６、図７、図８において下浮動構造は、内フレーム１１の上部に設けたフロート枠５６と、フロート枠５６で前後、左右、上下、斜めの全方位方向へ浮動可能に支持される下浮動台５７と、フロート枠５６と下浮動台５７との間に介装されて下浮動台５７を押し上げ付勢する左右一対の第１付勢ばね５８などで構成する。第１付勢ばね５８は圧縮コイル形のばねで形成してある。
【００２９】
図４および図６においてフロート枠５６は、内フレーム１１の電池収容部の上端左右に突設した左右一対の側枠５９と、電池収容部の上端前後に突設される前後二組のリブ壁６０と、これら両者５９・６０で支持される横長長円状のシール枠６１などで構成してあり、その内底部分に設けたボスで第１付勢ばね５８の下端を受け止める。左右の側枠５９のそれぞれに、後述する左右の支点ピン７０を移行案内するガイド溝６２が縦長長円状に形成されており、前後一対ずつのリブ壁６０によって、後述する前後の支点ピン７２を移行案内するガイド溝６３が形成されている。図８に示すように後者ガイド溝６３は、ヘッドユニット２の傾斜に沿って前側に傾斜しており、その上端は開放している。フロート枠５６に対する下浮動台５７の組み付けを簡便化するためである。
【００３０】
図７において下浮動台５７は、横長長方形状の台本体６８を有し、その左右両側に下向きに突出する脚片６９を設け、両脚片６９の下端外面に左右一対の丸軸からなる支点ピン７０を突設し、台本体６８の前後中央に下向きに突出する脚片７１を設け、両脚片７１の下端外面に左右一対の丸軸からなる支点ピン７２を突設してなる。台本体６８の下面左右には、第１付勢ばね５８の上端を受け止めるボス７３が突設されている。台本体６８の周面には、後述するケースパッキン７５を装着するためのシール溝７４が周回状に形成されている。
【００３１】
電装品ユニット３を水密状にシールするために、下浮動台５７とフロート枠５６（内フレーム）との間にはケースパッキン７５を配置する。図８においてケースパッキン７５は、上下面が開口するスカート状の成形パッキンからなり、その上開口がシール溝７４に嵌め込まれ、スカート壁の下開口がシール枠６１に嵌め込まれて下浮動台５７とフロート枠５６との間を封止する。スカート壁の下開口は、本体ケース１の内面壁とシール枠６１とに密着して、両者１・６１の隙間を封止する（図１参照）。装着状態におけるケースパッキン７５は、ヘッドユニット２を中立位置へ戻すように作用して、第１付勢ばね５８の中立位置への復帰付勢作用を補助する。
【００３２】
図７および図８において上浮動構造は、下浮動台５７とヘッドユニット２との間に設けられて、ヘッドユニット２を左右傾動可能に支持する。詳しくは、台本体６８の前後中央に前後一対の浮動アーム７８を立設し、両アーム７８の上部対向面に支軸７９を突設する。さらに、モーターケース５４の周面前後に傾動ボス８０を形成し、この傾動ボス８０を支軸７９で左右揺動自在に支持する。台本体６８とモーターケース５４の下面との間には、モーターケース５４（ヘッドユニット２）を中立位置へ復帰付勢するための、圧縮コイル形のばねからなる第２付勢ばね８１が配されている。
【００３３】
図１に示すように、電装品ユニット３から導出した給電リード８４の端部は、モーターケース５４内のモーター２０に接続するが、その配線経路を水密状に封止するために、モーターケース５４の底面と台本体６８の上面とをフレキシブルチューブ８５で接続している。給電リード８４は、フレキシブルチューブ８５内の空間と、台本体６８およびボス７３を上下に貫く通口８６とを介して、電装品ユニット３とモーター２０とを接続する。
【００３４】
上記のように、浮動支持構造が下浮動構造と上浮動構造とで構成されていると、下浮動構造によって発揮される全方位方向の浮動動作と、上浮動構造によって発揮される左右傾動動作とを、個別にあるいは同時複合的に発揮させることが可能となるので、ヘッドユニット２の傾動姿勢の変化幅を拡大できるうえ、ひげ切断面の肌面に対する追随変位をより適確に行うことができる。例えば、ヘッドユニット２が右横方向へ傾いた状態のままで、肌面の変化に対応してヘッドユニット２を右斜め前方向へ追随傾動させることができる。
【００３５】
第１付勢ばね５８と第２付勢ばね８１との弾性力は次のように設定する。下浮動台５７を押し上げ付勢する個々の第１付勢ばね５８の弾性力が、ヘッドユニット２を中立位置へ向かって復帰付勢する第２付勢ばね８１の弾性力より大きくなるように設定して、ひげ切断面に外力が作用するとき、まずヘッドユニット２が左右傾動したのち、引き続き下浮動台５７を傾動ないし沈み込ませるようにする。もちろん、ヘッドユニット２に傾動モーメントが作用しない状態では、ヘッドユニット２は下浮動台５７とともに沈み込むことになる。
【００３６】
第１・第２の両付勢ばね５８・８１の弾性力が上記のように設定されていると、下浮動台５７がいたずらに全方位方向へ傾動変位するのを防止できるので、ヘッドユニット２の肌面に対する追随姿勢の自由度を向上しながら、ヘッドユニット２がふらつくのを防止できる。ヘッドユニット２の傾動姿勢がどのように変化しても、各支点ピン７０・７２とガイド溝６２・６３とは、図９に示すように常に係合状態を維持し続けるので、ヘッドユニット２が縦中心軸まわりに旋回するのを確実に防止でき、このこともヘッドユニット２のふらつき防止に役立っており、全体として常に適確にひげ切断を行える電気かみそりを得ることができる。
【００３７】
因みに第１・第２の両付勢ばね５８・８１の弾性力が同じか、先の設定と逆の関係になっていると、ひげ切断面を肌面の変化に追随させるのが容易になるが、僅かな外力の変化でヘッドユニット２の姿勢が変化し、ふらつきやすくなるので、ひげ切断を適切に行うことが困難になる。
【００３８】
上記の電気かみそりの使いやすさをさらに向上するために、図１に示すように上浮動構造と下浮動構造を含むヘッドユニット２の重心位置Ｇ１を、下浮動構造の傾動中心Ｐ１より上方に位置させ、さらに上浮動構造を含むヘッドユニット２の重心位置Ｇ２を、上浮動構造の傾動中心Ｐ２より上方に位置させる。
【００３９】
なお、上浮動構造と下浮動構造を含むヘッドユニット２の重心位置Ｇ１とは、ヘッドユニット２と下浮動台５７の合成重心位置を意味しており、下浮動台５７を支持するフロート枠５６及び第１付勢ばね５８は重心Ｇ１を決定するうえで無関係である。上浮動構造を含むヘッドユニット２の重心位置Ｇ２についても同様であり、下浮動台５７に設けた浮動アーム７８及び第２付勢ばね８１は重心位置Ｇ２を決定するうえで無関係である。図１０以下の図面に示す浮動支持構造においても同じである。
【００４０】
上記のように、上浮動構造と下浮動構造を含むヘッドユニット２の重心位置Ｇ１が、下浮動構造の傾動中心Ｐ１より上方に位置していると、ヘッドユニット２が下浮動構造の傾動中心Ｐ１まわりに任意の方向へ傾動するとき、主としてヘッドユニット２の重量、あるいはヘッドユニット２に作用する外力に基づく傾動モーメントをヘッドユニット２に作用させることができる。このときのモーメントアームは、傾動中心Ｐ１と重心位置Ｇ１とを結ぶ距離になる。
【００４１】
つまり、ヘッドユニット２が中立位置から僅かでも傾動すると、傾動を促進する向きの傾動モーメントがヘッドユニット２に作用するので、ひげ切断面を肌面に密着させて、肌面の変化に容易に追随させることができる。同様に、上浮動構造を含むヘッドユニットの重心位置Ｇ２を、上浮動構造の傾動中心Ｐ２より上方に位置させると、ヘッドユニット２が上浮動構造の傾動中心Ｐ２まわりに左右傾動するとき、ヘッドユニット２が中立位置から僅かでも左右傾動すると、ヘッドユニット２に傾動を促進する向きの傾動モーメントが作用するので、ひげ切断面を肌面に密着し、肌面の変化に容易に追随させることができる。
【００４２】
図１０は浮動支持構造に関する本発明の別実施例を示している。ここでの下浮動構造は、内フレーム１１の上部に設けたフロート枠５６と、フロート枠５６で前後、左右、上下、斜めの全方位方向へ浮動可能に支持される下浮動台５７と、フロート枠５６と下浮動台５７との間に介装されて、下浮動台５７を押し上げ付勢する左右一対の第１付勢ばね５８などで構成されている。上浮動構造は先の実施例と同じである。
【００４３】
下浮動台５７は、基本的に上記の実施例で説明した下浮動台５７と殆ど同じであるが、脚片６９・７１、および支点ピン７０・７２の代わりに、台本体６８の左右に前後一対ずつの逆Ｌ字状の浮動爪９０を設け、これら４個の浮動爪９０をフロート枠５６に設けた突壁９１で受け止め、左右一対の第１付勢ばね５８で下浮動台５７を押し上げ付勢した。他は、先の実施例と同じであるので、同じ部材に同じ符号を付してその説明を省略する。第１・第２の両付勢ばね５８・８１の弾性力の関係、および重心位置Ｇ１・Ｇ２と、傾動中心Ｐ１・Ｐ２の位置関係も先の実施例と同じに設定する。以下の実施例においても同じ扱いとする。
【００４４】
図１１は浮動支持構造に関する本発明のさらに異なる別実施例を示している。そこでは、下浮動構造を図１０の浮動構造と同じように構成し、さらに上浮動構造を下浮動構造と同様の浮動構造で構成した。詳しくは、縦置き配置したモーター２０をモーターホルダー９２で支持し、モーターホルダー９２の左右に前後一対ずつの逆Ｌ字状の浮動爪９０を設けた。下浮動台５７の台本体６８の上面左右に保持枠９３を設け、その上端に浮動爪９０を係合保持する突壁９１を形成した。つまり、４個の浮動爪９０と、台本体６８の側に設けた突壁９１と、モーターホルダー９２を押し上げ付勢する左右一対の第２付勢ばね８１などで上浮動構造を構成して、モーターホルダー９２を含むヘッドユニット２を、下浮動構造で前後左右および上下の各方向へ浮動可能に支持した。
【００４５】
この実施例におけるメイン刃２１は、往復駆動される内刃２１ａと網刃からなる外刃２１ｂとで構成した。モーター動力は振動子９４を介して往復動力に変換され内刃２１ａに伝動される。ケースパッキン７５は、モーターホルダー９２に設けたシール溝７４と、シール枠６１とに装着されて上下の浮動構造全体をシールする。このように、上下の浮動構造をケースパッキン７５で覆うと、第１、第２の付勢ばね５８・８１や、下浮動台５７、および上浮動構造の浮動爪９０や保持枠９３などに、毛屑や塵埃などが付着するのを防止できるので、毛屑や塵埃などの付着に起因する腐敗臭の発生を防止できる。ケースパッキン７５に付着した毛屑などは、メイン刃２１などを水洗いする際に、同時に洗い流すことができる。ヘッドユニット２が傾動するときの、前記両ばね５８・８１のきしみ音の漏洩をケースパキン７５で阻止できる利点もある。
【００４６】
図１２は浮動支持構造に関する本発明の更なる別実施例を示している。そこでは、左右一対の可動枠９５をフロート枠５６の前後に設けたガイド溝９６で上下スライド自在に案内支持し、各可動枠９５を前後一対ずつの第１付勢ばね５８で押し上げ付勢した。左右の可動枠９５は逆門形に形成してあり、その前後壁に台本体６８の四隅に設けた前後一対ずつの脚片９７をピン９８を介して連結した。台本体６８の左右傾動を許す必要上、左右の可動枠９５のうち図に向かって右側のピン穴９９は横方向の長溝で形成した。要約すると、この実施例では左右一対の可動枠９５と、４個の第１付勢ばね５８と、台本体６８などで下浮動構造を構成して、上浮動構造を下浮動構造で左右傾動可能に浮動支持した。上浮動構造は先の実施例と同じである。
【００４７】
重心位置Ｇ１・Ｇ２と、傾動中心Ｐ１・Ｐ２の位置関係は、次のように変更することができる。図１３に示すように上浮動構造と下浮動構造を含むヘッドユニット２の重心位置Ｇ１を、下浮動構造の傾動中心Ｐ１より上方に位置させ、さらに上浮動構造を含むヘッドユニット２の重心位置Ｇ２を、上浮動構造の傾動中心Ｐ２位置を基準にして、同等位置かそれより下方に位置させる。
【００４８】
このように、上浮動構造と下浮動構造を含むヘッドユニット２の重心位置Ｇ１が、下浮動構造の傾動中心Ｐ１より上方に位置していると、ヘッドユニット２が下浮動構造の傾動中心Ｐ１まわりに傾動するとき、先の実施例と同様にヘッドユニット２が中立位置から僅かでも傾動すると、傾動を促進する向きの傾動モーメントがヘッドユニット２に作用するので、ひげ切断面を肌面に密着させて、肌面の変化に容易に追随させることができる。
【００４９】
また、上浮動構造を含むヘッドユニット２の重心位置Ｇ２が、上浮動構造の傾動中心Ｐ２位置を基準にして、同等位置かそれより下方に位置していると、ヘッドユニット２が上浮動構造の傾動中心Ｐ２まわりに傾動するとき、ヘッドユニット２が中立位置から一定量傾動すると、傾動を阻む向きの傾動モーメントがヘッドユニット２に作用する。つまり、ヘッドユニット２に作用する傾動モーメントは、第２付勢ばね８１と協同してヘッドユニット２を中立位置へ戻す向きに作用するので、第２付勢ばね８１に作用する負荷を軽減して、同ばね８１の弾性劣化を防止できる。また、上下の浮動構造が同じ方向へ最大限傾いた状態においては、ヘッドユニット２を中立位置へ戻す向きの傾動モーメントが最大となるので、第２付勢ばね８１のみでヘッドユニット２を中立位置へ復帰付勢する場合に比べて、ヘッドユニット２のふらつきを抑止できる。
【００５０】
上記の実施例では、メイン刃がロータリー式の内刃２１ａである場合について説明したが、メイン刃は往復動式の切刃を備えた切断刃であってもよい。モーター２０は横置き型である必要は無く縦置き型であってもよい。ヘッドユニット２の縦中心軸は、ケース本体１の縦中心軸に対して傾斜させる必要はない。第１付勢ばね５８は１個のみ設けることができるし、あるいは２個以上設けることもできる。第１・第２の両付勢ばね５８・８１は、圧縮コイルばねで形成する必要はなく、捻りコイル形のばねや板ばねを適用することができる。必要があれば、ゴムの弾性力でヘッドユニット２を復帰付勢することができる。
【図面の簡単な説明】
【００５１】
【図１】浮動支持構造を示す縦断正面図である。
【図２】電気かみそりの正面図である。
【図３】電気かみそりの側面図である。
【図４】電気かみそりの分解斜視図である。
【図５】ヘッドユニットにおける動力伝動構造を示す縦断正面図である。
【図６】浮動支持構造を示す分解断面図である。
【図７】下浮動台とその周辺部材を示す分解斜視図である。
【図８】浮動支持構造を示す縦断側面図である。
【図９】下浮動構造の横断平面図である。
【図１０】浮動構造の別実施例を示す縦断正面図である。
【図１１】浮動構造のさらに別の実施例を示す縦断正面図である。
【図１２】浮動構造のさらに異なる別実施例を示す縦断正面図である。
【図１３】重心位置を変更した浮動支持構造の縦断正面図である。
【符号の説明】
【００５２】
１  本体ケース
２  ヘッドユニット
２０  モーター
２１  メイン刃
５４  モーターケース
５７  下浮動台
５８  第１付勢ばね
８１  第２付勢ばね
Ｇ１  上浮動構造と下浮動構造とを含むヘッドユニットの重心位置
Ｇ２  上浮動構造を含むヘッドユニットの重心位置
Ｐ１  下浮動構造の傾動中心
Ｐ２  上浮動構造の傾動中心
【図１】
2005237598.tif 000003
【図２】
2005237598.tif 000004
【図３】
2005237598.tif 000005
【図４】
2005237598.tif 000006
【図５】
2005237598.tif 000007
【図６】
2005237598.tif 000008
【図７】
2005237598.tif 000009
【図８】
2005237598.tif 000010
【図９】
2005237598.tif 000011
【図１０】
2005237598.tif 000012
【図１１】
2005237598.tif 000013
【図１２】
2005237598.tif 000014
【図１３】
2005237598.tif 000015